(57)【要約】【課題】電力系統における電力設備のプログラムを変更する際に生じる手間を抑制することができる保護制御システムを提供する。【解決手段】実施形態の保護制御システムは、保護リレー装置と、監視制御装置と、配信サーバとを持つ。前記保護リレー装置は、電力情報取得部と、遮断制御部と、送信部と、を有する。前記監視制御装置は、受信部と、故障判定部と、送信部と、を有する。前記配信サーバは、生成部と、送信部とを有する。前記配信サーバは、前記中央監視制御装置、前記中央監視制御装置に接続する運用側ネットワーク、前記運用側ネットワークに接続するゲートウェイ、及び前記ゲートウェイに接続する解析側ネットワークを介して、通信可能に接続する。【選択図】図１
2020114050.tif 000002
【特許請求の範囲】
【請求項１】
電力系統における電気所に設置された電力設備を保護及び制御する保護制御システムであって、互いに通信可能に接続された保護リレー装置と、監視制御装置と、配信サーバとを備える保護制御システムにおいて、
前記保護リレー装置は、
前記電力設備における電力に関する電力情報を取得する電力情報取得部と、
前記電力情報取得部により取得された電力情報に基づいて、前記電力設備に電力を供給又は遮断する遮断器を制御する遮断制御部と、
前記電力情報、及び前記保護リレー装置における動作を示す動作情報を前記監視制御装置、及び前記保護リレー装置と前記監視制御装置とに接続する監視サーバに送信する送信部と、を有し、
前記監視制御装置は、
前記保護リレー装置から前記電力情報と前記動作情報を受信すると共に、前記保護リレー装置及び前記監視制御装置に接続する中央監視制御装置から前記電力系統における運用の状態を示す運用情報を受信する受信部と、
前記受信部から受信した前記電力情報、前記動作情報、及び前記運用情報に基づいて、前記電力設備が故障したか否かを判定する故障判定部と、
前記故障判定部による判定結果を示す故障情報を前記監視サーバに送信する送信部と、を有し
前記配信サーバは、
前記中央監視制御装置、前記中央監視制御装置に接続する運用側ネットワーク、前記運用側ネットワークに接続するゲートウェイ、及び前記ゲートウェイに接続する製造側ネットワークを介して、通信可能に接続する配信サーバであって、
前記電力系統における運用の状態が変更される場合において、前記故障情報、及び、前記保護リレー装置の設備に関する設備情報に基づいて、前記保護リレー装置の更新プログラムを生成する生成部と、
前記生成部により生成された更新プログラムを、前記監視サーバに送信する送信部と、を有する、
保護制御システム。
【請求項２】
前記監視サーバ、を更に備え、
前記監視サーバは、
前記保護リレー装置から前記電力情報及び前記動作情報を受信するとともに、前記監視制御装置から前記故障情報を受信する受信部と、
前記受信部により受信された前記電力情報、前記動作情報、及び前記故障情報を用いて、前記電力系統における運用が変更されるか否かを判定する判定部と、
前記判定部による判定結果に基づいて、前記運用の変更に応じたプログラムの更新を前記配信サーバに要求すると共に、前記配信サーバから前記要求に応じたプログラムを受信する通信部と、
前記通信部により受信されたプログラムを、当該プログラムに対応する現行のプログラムが記憶される記憶領域に書込んで更新する制御部と、を有する、
請求項１に記載の保護制御システム。
【請求項３】
前記監視サーバにおいて、
前記通信部により受信されたプログラムにおける更新の内容を表示する表示部と、
操作信号が入力される入力部と、を更に備え、
前記制御部は、前記表示部に表示された内容について当該更新を許可する旨の操作信号が前記入力部に入力された場合、当該プログラムを前記記憶領域に書込む、
請求項２に記載の保護制御システム。
【請求項４】
前記配信サーバにおいて、
前記生成部は、前記電力系統における運用の状態が変更される場合において、前記設備情報に基づいて、前記運用情報を更新し、
前記送信部は、前記生成部により生成された前記運用情報を、前記監視サーバに送信する、
請求項１から請求項３の何れか一項に記載の保護制御システム。
【発明の詳細な説明】
【技術分野】
【０００１】
本発明の実施形態は、保護制御システムに関する。
【背景技術】
【０００２】
電力系統において、変電所には、送電線や母線、変電設備等を保護する保護リレー装置、及び変電所全体の監視や制御を行う監視制御装置が設けられている。保護リレー装置が、運用を開始した後に、保護リレー装置のプログラムや監視制御装置のデータベースを変更する場合、各装置のメーカ側が更新プログラム等を作成し、電力系統を運用する運用側が動作を確認し、作業員が現地へ赴いてプログラム等を変更する作業を行うなど、人間系により変更を実施しており、手間がかかっていた。
【先行技術文献】
【特許文献】
【０００３】
【特許文献１】特開２００６−２３８６９７号公報
【発明の概要】
【発明が解決しようとする課題】
【０００４】
本発明が解決しようとする課題は、電力系統における電力設備のプログラムを変更する際に生じる手間を抑制することができる保護制御システムを提供することである。
【課題を解決するための手段】
【０００５】
実施形態の保護制御システムは、保護リレー装置と、監視制御装置と、配信サーバとを持つ。前記保護制御システムは、電力系統における電気所に設置された電力設備を保護及び制御する。前記保護制御システムでは、保護リレー装置と、監視制御装置と、配信サーバとが互いに通信可能に接続される。前記保護リレー装置は、電力情報取得部と、遮断制御部と、送信部と、を有する。前記電力情報取得部は、前記電力設備における電力に関する電力情報を取得する。前記遮断制御部は、前記電力情報取得部により取得された電力情報に基づいて、前記電力設備に電力を供給又は遮断する遮断器を制御する。前記送信部は、前記電力情報、及び前記保護リレー装置における動作を示す動作情報を前記監視制御装置、及び前記保護リレー装置と前記監視制御装置とに接続する監視サーバに接続する管理サーバに送信する。前記監視制御装置は、受信部と、故障判定部と、送信部と、を有する。前記受信部は、前記保護リレー装置から前記電力情報と前記動作情報を受信すると共に、前記保護リレー装置及び前記監視制御装置に接続する中央監視制御装置から前記電力系統における運用の状態を示す運用情報を受信する。前記故障判定部は、前記受信部から受信した前記電力情報、前記動作情報、及び前記運用情報に基づいて、前記電力設備が故障したか否かを判定する。前記送信部は、前記故障判定部による判定結果を示す故障情報を前記監視サーバに送信する。前記配信サーバは、生成部と、送信部とを有する。前記配信サーバは、前記中央監視制御装置、前記中央監視制御装置に接続する運用側ネットワーク、前記運用側ネットワークに接続するゲートウェイ、及び前記ゲートウェイに接続する製造側ネットワークを介して、通信可能に接続する。前記生成部は、前記電力系統における運用の状態が変更される場合において、前記故障情報、及び、前記保護リレー装置の設備に関する設備情報に基づいて、前記保護リレー装置の更新プログラムを生成する。前記送信部は、前記生成部により生成された更新プログラムを、前記管理サーバに送信する。
【図面の簡単な説明】
【０００６】
【図１】実施形態の保護制御システム１構成の例を示すブロック図。
【図２】実施形態のＲＹ６０の構成の例を示すブロック図。
【図３】実施形態のＢＣＵ５０の構成の例を示すブロック図。
【図４】実施形態の監視サーバ４０の構成の例を示すブロック図。
【図５】実施形態の配信サーバ９０の構成の例を示すブロック図。
【図６】実施形態の運用情報における表示の例を示す図。
【図７】実施形態の保護制御システム１の動作の流れを示すシーケンス図。
【発明を実施するための形態】
【０００７】
以下、実施形態の保護制御システムを、図面を参照して説明する。
【０００８】
図１は、実施形態の保護制御システム１構成の例を示すブロック図である。保護制御システム１は、例えば、ＳＣＡＤＡ（Supervisory Control And Data Acquisition）１０と、ＩＴＣ（Intelligent Tele-Control unit）２０と、ＳＣＵ（Station Control Unit）３０と、監視サーバ４０と、複数のＢＣＵ（Bay Control Unit）５０（ＢＣＵ５０−１、…５０−Ｎ）（但し、Ｎは任意の自然数）と、複数のＲＹ（Relay）６０（ＲＹ６０−１、…６０−Ｍ）（但し、Ｍは任意の自然数）と、設備情報記憶サーバ７０と、故障情報記憶サーバ８０と、配信サーバ９０とを備える。ここで、ＢＣＵ５０は、「監視制御装置」の一例である。ＲＹ６０は、「保護リレー装置」の一例である。
【０００９】
保護制御システム１を構成する装置、つまり、ＳＣＡＤＡ１０、ＩＴＣ２０、ＳＣＵ３０、監視サーバ４０、ＢＣＵ５０、ＲＹ６０、設備情報記憶サーバ７０、故障情報記憶サーバ８０、及び配信サーバ９０の各々は、例えば、ＣＰＵなどのプロセッサが組み込まれて動作する装置である。これらの装置が備える機能部は、ＣＰＵなどのプロセッサがプログラム（ソフトウェア）を実行することにより実現される。また、これらの機能部のうち一部または全部は、ＬＳＩ（Large Scale Integration）やＡＳＩＣ（Application Specific Integrated Circuit）、ＦＰＧＡ（Field-Programmable Gate Array）などのハードウェアにより実現されてもよいし、ソフトウェアとハードウェアが協働することで実現されてもよい。
【００１０】
保護制御システム１は、電力系統を運用する電力会社などの運用側の装置群と、電力系統における電力設備を製造したメーカなどの製造側の装置群とで構成される。本実施形態では、運用側の装置群は、ＳＣＡＤＡ１０と、ＩＴＣ２０と、ＳＣＵ３０と、監視サーバ４０と、ＢＣＵ５０と、ＲＹ６０である。また、製造側の装置群は、設備情報記憶サーバ７０と、故障情報記憶サーバ８０と、配信サーバ９０である。
【００１１】
運用側の装置群は、運用側ネットワークＮＷ１及びステーションバスＢにより、通信可能に接続される。運用側ネットワークＮＷ１は、運用側である電力会社等により用いられる通信ネットワークであり、例えば、イーサネット（登録商標）、電話回線、携帯電話回線、無線ＬＡＮ（Local Area Network）、ＷＡＮ（Wide Area Network）などを含む通信網である。運用側ネットワークＮＷ１の全部又は一部に、インターネット等の公衆網が含まれていてよいが、通信の安全が保証されるような通信方式（例えば、インターネットの公開鍵方式）にて通信が行われることが好ましい。ステーションバスＢは、例えば、イーサネット等のＬＡＮを用いた通信網である。
【００１２】
製造側の装置群は、製造側ネットワークＮＷ２により、通信可能に接続される。製造側ネットワークＮＷ２は、製造側であるメーカ等により用いられる通信ネットワークであり、例えば、イーサネット（登録商標）、電話回線、携帯電話回線、無線ＬＡＮ（Local Area Network）、ＷＡＮ（Wide Area Network）などを含む通信網である。運用側ネットワークＮＷ１同様に、製造側ネットワークＮＷ２の全部又は一部に、インターネット等の公衆網が含まれていてよいが、通信の安全が保証されるような通信方式（例えば、インターネットの公開鍵方式）にて通信が行われることが好ましい。
【００１３】
本実施形態においては、運用側ネットワークＮＷ１と製造側ネットワークＮＷ２とが、ゲートウェイＧＷを介して通信可能に接続される。これにより、運用側と、製造側とが互いのネットワークを介して連携することが可能となる。
【００１４】
以下、運用側の装置群について説明する。
【００１５】
ＲＹ６０は、電力系統に設けられた送電線において複数の箇所の各々に設けられた遮断器を制御する保護リレー装置である。ＲＹ６０は、電力系統に短絡や地絡などの事故が発生した場合に、遮断器を遮断して事故が発生した電力設備や系統を切り離すことにより、事故を除去すると共に、事故の拡大を抑制して電力系統の健全な運用を確保する。
【００１６】
ＲＹ６０は、ＲＹ６０が保護の対象とする送電線の区間に供給される電力に関する電力情報を取得する。電力情報は、送電線の区間に供給される電力に関する情報であって、例えば、その区間に供給される電力の電圧値や電流値を示す情報である。
【００１７】
また、ＲＹ６０は、遮断器の動作に関する動作情報を生成する。動作情報は、ＲＹ６０により制御される遮断器の動作に関する情報であって、例えば、遮断器が接続状態にあるか遮断状態にあるかを示す情報である。ＲＹ６０は、電力情報、及び動作情報を、ＢＣＵ５０、監視サーバ４０、ＳＣＵ３０、ＩＴＣ２０、及びＳＣＡＤＡ１０に送信する。
【００１８】
ＢＣＵ５０は、変電所において負荷に電力を供給する回線ごと設けられ、回線における電力設備の監視、及び制御を行う。ＢＣＵ５０は、自身が監視する回線に設けられたＲＹ６０から電力情報及び動作情報を取得し、取得した情報に基づいて、故障情報を生成する。故障情報は、回線における状態が変化したか否か、電力設備の状態が変化したか否かを示す情報であり、例えば、回線に設けられたＲＹ６０が故障したことを示す情報である。ＢＣＵ５０は、生成した故障情報を、監視サーバ４０、ＳＣＵ３０、ＩＴＣ２０、及びＳＣＡＤＡ１０に送信する。
【００１９】
ＢＣＵ５０は、例えば、回線における系統の状態や、電力設備の状態を示す運用情報をＳＣＡＤＡ１０などから受信する。また、ＢＣＵ５０は、ＳＣＡＤＡ１０などの制御に従い、回線における系統の構成を変更するための遮断器や断路器などの開閉器の開閉を制御したり、系統に供給される系統電圧を調整したりする。
【００２０】
監視サーバ４０は、電力情報、動作情報、及び故障情報に基づいて、ＳＣＡＤＡ１０などにより系統の構成が変更されるか否かを判定する。監視サーバ４０は、系統の構成が変更されると判定した場合、系統が変更された後のＲＹ６０が行う処理を示す更新プログラムを配信サーバ９０に要求する。
【００２１】
ここで、ＲＹ６０の更新プログラムは、系統の変更に伴う電力設備などの変更が反映された保護リレーのシーケンス処理である。ＲＹ６０の更新プログラムには、例えば、系統の電圧や電流を測定する計器用変成器が変更された場合における、変更後のＣＴ比や、ＶＴ比が示されている。
【００２２】
また、監視サーバ４０は、系統の構成が変更されると判定した場合、系統が変更された後のＢＣＵ５０が行う処理を示す更新プログラムを配信サーバ９０に要求する。
【００２３】
ここで、ＢＣＵ５０の更新プログラムは、例えば、系統の変更に伴う回線における系統の状態や、電力設備の状態の変更が反映された情報を表示する処理である。ＢＣＵ５０の更新プログラムには、例えば、系統の変更に伴って故障を判定する条件が変更された場合における、変更後の故障の判定シーケンスが示されている。
【００２４】
監視サーバ４０は、配信サーバ９０から更新プログラムを受信し、受信した更新プログラムを保持する。監視サーバ４０は、保持した更新プログラムをＲＹ６０又はＢＣＵ５０におけるプログラムが記憶される記憶領域において、書き込み準備が完了している場合に、当該記憶領域に更新プログラムを書込む。
【００２５】
また、監視サーバ４０は、系統の構成が変更されると判定した場合、系統が変更された後の運用情報を配信サーバ９０に要求する。ここで、系統が変更された後の運用情報は、例えば、回線の名称が変更された場合における、変更後の回線の名称が示された情報である。
【００２６】
監視サーバ４０は、配信サーバ９０から系統が変更された後の運用情報を受信し、受信した運用情報を保持する。監視サーバ４０は、保持した運用情報を、ＢＣＵ５０において運用情報が記憶される記憶領域に書込むことにより、運用情報を更新する。
【００２７】
ここで、監視サーバ４０は、配信サーバ９０から受信した更新プログラム又は運用情報（以下、更新プログラム等という）を表示するようにしてもよい。そして、監視サーバ４０は、更新プログラム等を視認した管理者により、更新を承認する旨の操作入力がなされた場合に、更新プログラム等を書込むようにしてもよい。
【００２８】
ＳＣＵ３０は、複数のＢＣＵ５０の監視、及び制御を行う集中監視制御装置である。ＳＣＵ３０は、監視の対象とするＢＣＵ５０の各々から、故障情報を回線の状態を示す情報として取得する。また、ＳＣＵ３０は監視の対象とするＢＣＵ５０の回線に設けられたＲＹ６０の各々から、電力情報及び動作情報を回線の状態を示す情報として取得する。ＳＣＵ３０は、ＢＣＵ５０における回線の状態に基づいて、或いはＳＣＡＤＡ１０の制御により、回線の状態を変化させる場合、ＢＣＵ５０を制御して回線の状態を変化させる。
【００２９】
ＩＴＣ２０は、変電所から離れた遠方にあるＢＣＵ５０（遠方制御所）とＳＣＵ３０との通信を中継する、いわゆるテレコンである。
【００３０】
ＳＣＡＤＡ１０は、電力系統の全体を監視、及び制御する。ＳＣＡＤＡ１０は、電力系統の全体におけるＲＹ６０から電力情報及び動作情報、及びＢＣＵ５０から故障情報を取得する。ＳＣＡＤＡ１０は、取得した情報に基づいて、系統を変更するか否かを判定し、判定した結果に基づいてＲＹ６０、及びＢＣＵ５０を制御し、系統の状態を変化させる。
【００３１】
以下、製造側の装置群について説明する。
【００３２】
設備情報記憶サーバ７０は、例えば、設備情報記憶部７０１を備える。設備情報記憶部７０１は、設備情報を記憶する。設備情報は、電力系統に設けられた電力設備に関する情報であって、例えば、ＲＹ６０に用いられる部品や計器類の仕様や回路図などを示す情報である。
【００３３】
故障情報記憶サーバ８０は、例えば、故障情報記憶部８０１を備える。故障情報記憶部８０１は、故障情報を記憶する。故障情報は、電力系統に設けられたＢＣＵ５０により生成された情報である。故障情報記憶サーバ８０は、ＳＣＡＤＡ１０、運用側ネットワークＮＷ１、ゲートウェイＧＷ、製造側ネットワークＮＷ２を介して、ＢＣＵ５０から故障情報を取得する。
【００３４】
配信サーバ９０は、監視サーバ４０からの要求に応じて、更新プログラムを生成する。配信サーバ９０は、例えば、設備情報及び故障情報を用いてＲＹ６０の更新プログラムを生成する。配信サーバ９０は、設備情報及び故障情報を用いてＢＣＵ５０の更新プログラムを生成する。配信サーバ９０は、故障情報を用いて運用情報を生成する。配信サーバ９０は、生成した更新プログラム及び運用情報を、監視サーバ４０に配信する。
【００３５】
図２は、実施形態のＲＹ６０の構成の例を示すブロック図である。ＲＹ６０は、例えば、通信部６０１と、電力情報取得部６０２と、遮断判定部６０３と、制御部６０４と、記憶部６０５とを備える。
【００３６】
通信部６０１は、ステーションバスＢを介して、運用側の装置群と通信を行う。電力情報取得部６０２は、電力情報を取得する。遮断判定部６０３は、電力情報に基づいて遮断器を遮断するか否かを判定する。制御部６０４は、例えば、ＣＰＵなどを含むプロセッサであり、ＲＹ６０を統括的に制御する。制御部６０４は、記憶部６０５に記憶されているプログラムを実行して各種の処理を行う。制御部６０４は、例えば、遮断判定部６０３の判定結果に基づいて動作情報を生成する。記憶部６０５は、ＲＹ６０における各種の処理を実行するためのプログラム、及び、各種の処理に用いられる変数などのデータを記憶する。
【００３７】
図３は、実施形態のＢＣＵ５０の構成の例を示すブロック図である。ＢＣＵ５０は、例えば、通信部５０１と、電力情報取得部５０２と、動作情報取得部５０３と、故障判定部５０４と、運用情報取得部５０５と、表示部５０６と、制御部５０７と、記憶部５０８を備える。
【００３８】
通信部５０１は、ステーションバスＢを介して、運用側の装置群と通信を行う。電力情報取得部５０２は、通信部５０１を介してＲＹ６０の電力情報を取得する。動作情報取得部５０３は、通信部５０１を介してＲＹ６０の動作情報を取得する。故障判定部５０４は、電力情報、及び動作情報に基づいて、回線における電力設備が故障したか否かを判定する。運用情報取得部５０５は、通信部５０１を介して運用情報を取得する。表示部５０６は、運用情報を表示する。制御部５０７は、例えば、ＣＰＵなどを含むプロセッサであり、ＢＣＵ５０を統括的に制御する。制御部５０７は、記憶部５０８に記憶されているプログラムを実行して各種の処理を行う。制御部５０７は、例えば、故障判定部５０４の判定結果に基づいて故障情報を生成する。記憶部５０８は、ＢＣＵ５０における各種の処理を実行するためのプログラム、及び、各種の処理に用いられる変数などのデータを記憶する。
【００３９】
図４は、実施形態の監視サーバ４０の構成の例を示すブロック図である。監視サーバ４０は、例えば、通信部４０１と、電力情報取得部４０２と、動作情報取得部４０３と、故障情報取得部４０４と、系統変更判定部４０５と、配信情報取得部４０６と、表示部４０７と、入力部４０８と、制御部４０９と、記憶部４１０とを備える。
【００４０】
通信部４０１は、ステーションバスＢを介して、運用側の装置群と通信を行う。また、通信部４０１は、ＳＣＡＤＡ１０、運用側ネットワークＮＷ１、ゲートウェイＧＷ、及び製造側ネットワークＮＷ２を介して、配信サーバ９０と通信を行う。電力情報取得部４０２は、通信部４０１を介して電力情報を取得する。動作情報取得部４０３は、通信部４０１を介して動作情報を取得する。故障情報取得部４０４は、通信部４０１を介して故障情報を取得する。系統変更判定部４０５は、電力情報、動作情報、及び故障情報に基づいて、ＳＣＡＤＡ１０などにより系統の構成が変更されるか否かを判定する。配信情報取得部４０６は、通信部４０１を介して配信サーバ９０から配信情報を取得する。配信情報は、配信サーバ９０により生成された更新プログラム、及び系統が変更された後の運用情報である。表示部４０７は、配信情報を表示する。入力部４０８は、管理者等によるキーボードやマウス操作により入力された情報を取得する。制御部４０９は、監視サーバ４０を統括的に制御する。制御部４０９は、例えば、更新プログラム、及び運用情報を所定の記憶領域に書込む。記憶部４１０は、受信した更新プログラム、及び運用情報を記憶する。
【００４１】
図５は、実施形態の配信サーバ９０の構成の例を示すブロック図である。配信サーバ９０は、例えば、通信部９０１と、故障情報取得部９０２と、設備情報取得部９０３と、配信情報生成部９０４と、制御部９０５と、記憶部９０６とを備える。
【００４２】
通信部９０１は、製造側ネットワークＮＷ２を介して製造側の装置群と通信を行う。また、通信部９０１は、製造側ネットワークＮＷ２、ゲートウェイＧＷ、運用側ネットワークＮＷ１、およびＳＣＡＤＡ１０を介して、監視サーバ４０と通信を行う。故障情報取得部９０２は、故障情報記憶サーバ８０から故障情報を取得する。設備情報取得部９０３は、設備情報記憶サーバ７０から設備情報を取得する。配信情報生成部９０４は、監視サーバ４０からの要求に応じて、設備情報及び故障情報に基づいて、更新プログラム及び系統が変化した後の運用情報（配信情報）を生成する。制御部９０５は、配信サーバ９０を統括的に制御する。記憶部９０６は、配信情報生成部９０４が配信情報を生成する際に用いるデータ、例えば、各種のシミュレーション結果や、ＲＹ６０やＢＣＵ５０における様々な条件下の制御シーケンスを記憶する。
【００４３】
図６は、実施形態の運用情報における表示の例を示す図である。運用情報は、例えば、ＢＣＵ項目、ＳＣＵ画面、警報の各々の項目を有する。ＢＣＵ項目は、制御対象、表示、切替、挙動の各項目を有する。制御対象はＢＣＵ５０が制御する対象を示す。表示は、制御対象に対応する表示を示す。種別は制御対象の種類の別を示す。挙動は制御対象を制御する動作を示す。ＳＣＵ画面は、メッセージの項目を有する。メッセージは、ＳＣＵ３０に表示される内容を示す。警報は、ベルとブザーの各項目を有する。警報では、ベル又はブザーによる警告の有無が示される。この図では、ＢＣＵ５０の制御対象としてＣＢ（Circuit Breaker、遮断器）が示され、「ＣＢ」と表示され、当該遮断器が、接続状態とするか遮断状態とするかの「入／切」の「切替」の制御が行われる対象であることが示されている。また、制御対象「ＣＢ」は、ＳＣＵ３０に「ＣＢ××」（××には、例えば、遮断器が設けられた箇所の地名などが入る）と表示されており、ベルによる警報がなされていることが示されている。また、ＢＣＵ５０の制御対象としてＬＳ（Line Switch、断路器）が示され、「ＬＳ」と表示され、当該断路器が、接続状態とするか遮断状態とするかの「入／切」の「切替」の制御が行われる対象であることが示されている。また、制御対象「ＬＳ」は、ＳＣＵ３０に「ＬＳ甲」と表示されており、ベル又はブザーによる警報がなされていないことが示されている。
【００４４】
ＢＣＵ５０は、図６に示すような運用情報を、ＳＣＡＤＡ１０又は配信サーバ９０から取得し、取得した運用情報を記憶部５０８に記憶する。また、ＢＣＵ５０は、表示部５０６に受信した運用情報を表示する。
【００４５】
なお、ＳＣＵ３０、及びＩＴＣ２０が、ＢＣＵ５０と同様に、運用情報を表示する構成を備えていてもよい。この場合、ＳＣＵ３０、及びＩＴＣ２０は、例えば、通信部と、記憶部と、表示部とを備え、運用情報を、ＳＣＡＤＡ１０又は配信サーバ９０から通信部を介して取得し、取得した運用情報を記憶部に記憶する。また、ＳＣＵ３０、及びＩＴＣ２０は、受信した運用情報を表示部に表示する。
【００４６】
図７は、実施形態の保護制御システム１の動作の流れを示すシーケンス図である。この図では、電力情報を取得してからＲＹ６０の更新プログラムが書き込まれるまでの動作の流れを示している。この他、ＢＣＵ５０の更新プログラムが書き込まれるまでの動作、及び運用情報が更新されるまで動作についても、同様な流れで処理が行われてよい。
【００４７】
まず、ＲＹ６０は、電力情報を取得し（ステップＳ１０１）、取得した電力情報を用いて動作情報を生成する（ステップＳ１０２）。このとき、ＲＹ６０は、生成した動作情報に基づき遮断器を制御する。ＲＹ６０は、電力情報及び動作情報をＢＣＵ５０、及び監視サーバ４０に送信する（ステップＳ１０３）。
【００４８】
次に、ＢＣＵ５０は、ＲＹ６０から電力情報、及び動作情報を受信し（ステップＳ１０４）、受信した情報を用いて故障情報を生成する（ステップＳ１０５）。ＢＣＵ５０は、故障情報を、監視サーバ４０に送信する（ステップＳ１０６）。このとき、監視サーバ４０は、故障情報を故障情報記憶サーバ８０に送信する。或いは、監視サーバ４０は、故障情報をＳＣＡＤＡ１０に送信し、ＳＣＡＤＡ１０により故障情報が故障情報記憶サーバ８０に送信されるようにしてもよい。故障情報記憶サーバ８０は、受信した故障情報を故障情報記憶部８０１に記憶させる。
【００４９】
監視サーバ４０は、ＲＹ６０から電力情報、及び動作情報を受信すると共に、ＢＣＵ５０から故障情報を受信する（ステップＳ１０７）。監視サーバ４０は、電力情報、動作情報、及び故障情報を用いて、系統が変更されるか否かを判定する（ステップＳ１０８）。監視サーバ４０は、系統が変更されると判定する場合に、ＲＹ６０の更新プログラムを配信サーバ９０に要求する（ステップＳ１０９）。
【００５０】
配信サーバ９０は、監視サーバ４０からＲＹ６０の更新プログラムの要求を受信すると（ステップＳ１１０）、故障情報記憶サーバ８０から故障情報を取得する（ステップＳ１１１）と共に、設備情報記憶サーバ７０から設備情報を取得する（ステップＳ１１２）。配信サーバ９０は、故障情報、及び設備情報を用いて、ＲＹ６０の更新プログラムを生成する（ステップＳ１１３）。このとき、配信サーバ９０は、記憶部９０６に記憶する各種のシミュレーション結果や、ＲＹ６０やＢＣＵ５０における様々な条件下の制御シーケンスを参照し、故障情報、及び設備情報に合致する制御シーケンスを、ＲＹ６０の更新プログラムとするようにしてもよい。配信サーバ９０は、生成したＲＹ６０の更新プログラムを監視サーバ４０に配信する（ステップＳ１１４）。
【００５１】
監視サーバ４０は、配信サーバ９０からＲＹ６０の更新プログラムを受信し（ステップＳ１１５）、受信した更新プログラムを記憶部４１０に記憶させる（ステップＳ１１６）。監視サーバ４０は、ＲＹ６０の更新プログラムを書き込み準備が整っているか否かを確認する。ここでの書き込み準備とは、例えば、更新の対象とするＲＹ６０が系統から切り離されて系統の事故を検出させない状態となることをいう。監視サーバ４０は、例えば、運用情報を参照することにより、更新の対象とするＲＹ６０が系統から切り離されているか否かを確認する。
【００５２】
監視サーバ４０は、更新の対象とするＲＹ６０が、更新プログラムを書き込む準備が整っていると判定する場合、更新プログラムを書込む旨を、ＲＹ６０に命令する（ステップＳ１１８）。ＲＹ６０は、監視サーバ４０からの命令に応じて、更新プログラムを受信し、受信した更新プログラムを記憶部６０５の所定の領域に記憶させる（書込む）ことにより、ＲＹ６０のプログラムを更新する（ステップＳ１１９）。
【００５３】
以上説明したように、実施形態の保護制御システム１は、ＲＹ６０と、ＢＣＵ５０と、配信サーバ９０とを備える。ＲＹ６０は、電力情報取得部６０２により電力情報を取得し、取得した電力情報を用いて遮断判定部６０３により遮断器を制御する。ＲＹ６０は、遮断器の動作情報を通信部６０１によりＢＣＵ５０及び監視サーバ４０に送信する。ＢＣＵ５０は、通信部５０１を介して、ＲＹ６０の電力情報及び動作情報を受信すると共に、ＳＣＡＤＡ１０から運用情報を受信し、受信した情報を用いて故障判定部５０４により電力設備が故障したか否かを判定する。ＢＣＵ５０は、故障判定部５０４による判定結果を故障情報として、通信部５０１により監視サーバ４０に送信する。配信サーバ９０は、ＳＣＡＤＡ１０、運用側ネットワークＮＷ１、ゲートウェイＧＷ、及び製造側ネットワークＮＷ２を介して、監視サーバ４０と通信可能に接続する。配信サーバ９０は、電力系統における運用の状態が変更される場合において、配信情報生成部９０４により故障情報、及び設備情報に基づいて、ＲＹ６０の更新プログラムを生成し、生成した更新プログラムを通信部９０１により監視サーバ４０に配信する。
【００５４】
これにより、実施形態の保護制御システム１は、運用側ネットワークＮＷ１と製造側ネットワークＮＷ２とが、ゲートウェイＧＷを介して接続しているために、運用側において電力系統における運用の状態が変更される場合に、製造側にて生成した更新プログラムを、自動的に運用側の監視サーバ４０に保持することができ、運用側が更新プログラム動作を確認したり、ＲＹ６０のプログラムを更新したりする処理をスムーズに行うことが可能となる。つまり、電力系統における電力設備のプログラムを変更する際に生じる手間を抑制することができる。
【００５５】
また、実施形態の保護制御システム１では、監視サーバ４０を更に備える。監視サーバ４０は、通信部４０１によりＲＹ６０から電力情報及び動作情報を受信すると共に、ＢＣＵ５０から故障情報を受信し、受信した情報を用いて系統変更判定部４０５により電力系統における運用の状態が変更されるか否かを判定する。監視サーバ４０は、通信部４０１を介して、ＲＹ６０の電力情報及び動作情報を受信すると共に、ＢＣＵ５０の故障情報を受信し、受信した情報を用いて系統変更判定部４０５により電力系統における運用が変更されるか否かを判定する。監視サーバ４０は、系統変更判定部４０５の判定結果に基づいて、通信部９０１により運用の変更に応じたプログラムの更新を配信サーバ９０に要求すると共に、配信サーバ９０から要求に応じたプログラム（更新プログラム）を受信する。監視サーバ４０は、制御部４０９により更新プログラムに対応する現行のプログラムが記憶される記憶領域（ＲＹ６０の更新プログラムであればＲＹ６０の記憶部６０５）に書込んで更新する。
【００５６】
これにより、実施形態の保護制御システム１では、監視サーバ４０により電力系統における運用が変更されるか否かを判定することができ、運用の変更に応じたプログラムの更新を要求し、要求に応じた更新プログラムを取得することができ、ＲＹ６０などの電力設備のプログラムを更新させることができるために、作業員が現地へ赴いて更新を行う必要がない。
【００５７】
また、実施形態の保護制御システム１では、監視サーバ４０において、通信部４０１により受信されたプログラムにおける更新の内容を表示部４０７に表示し、表示部４０７に表示された内容について当該更新を許可する旨の操作信号が入力部４０８に入力された場合、当該プログラムを前記記憶領域に書込むようにしてもよい。これにより、実施形態の保護制御システム１では、表示部４０７に表示された内容を確認することができるために、運用側の管理者や製造側の責任者が現地へ赴いて更新に立ち会う必要がない。
【００５８】
また、実施形態の保護制御システム１では、配信サーバ９０において、配信情報生成部９０４により設備情報に基づいて運用情報を更新し、更新した運用情報を監視サーバ４０に送信するようにしてもよい。これにより、実施形態の保護制御システム１では、更新プログラムと同様に、電力系統における電力設備のデータベース（運用情報）を変更する際に生じる手間を抑制することができる。
【００５９】
以上説明した少なくとも一つの実施形態によれば、ＲＹ６０と、ＢＣＵ５０と、配信サーバ９０とを備える。これにより、実施形態の保護制御システム１は、運用側ネットワークＮＷ１と製造側ネットワークＮＷ２とが、ゲートウェイＧＷを介して接続しているために、運用側において電力系統における運用の状態が変更される場合に、製造側にて生成した更新プログラムを、自動的に運用側の監視サーバ４０に保持することができ、運用側が更新プログラム動作を確認したり、ＲＹ６０のプログラムを更新したりする処理をスムーズに行うことが可能となる。つまり、電力系統における電力設備のプログラムを変更する際に生じる手間を抑制することができる。
【００６０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６１】
１…保護制御システム、４０…監視サーバ、４０１…通信部、４０２…電力情報取得部、４０３…動作情報取得部、４０４…故障情報取得部、４０５…系統変更判定部、４０６…配信情報取得部、４０７…表示部、４０８…入力部、４０９…制御部、４１０…記憶部、５０…ＢＣＵ、５０１…通信部、５０２…電力情報取得部、５０３…動作情報取得部、５０４…故障判定部、５０５…運用情報取得部、５０６…表示部、５０７…制御部、５０８…記憶部、６０…ＲＹ、６０１…通信部、６０２…電力情報取得部、６０３…遮断判定部、６０４…制御部、６０５…記憶部、９０…配信サーバ、９０１…通信部、９０２…故障情報取得部、９０３…設備情報取得部、９０４…配信情報生成部、９０５…制御部、９０６…記憶部
【図１】
2020114050.tif 000003
【図２】
2020114050.tif 000004
【図３】
2020114050.tif 000005
【図４】
2020114050.tif 000006
【図５】
2020114050.tif 000007
【図６】
2020114050.tif 000008
【図７】
2020114050.tif 000009